(57)【要約】 【課題】  露光効率を向上させた場合にも劣化が生じ難く、また省スペース化も実現することができる露光装置を提供する。【解決手段】  基板２上に複数のＥＬ素子が整列配置されてなり、第１面１０１ａ側に発光可能な第１ＥＬ素子３ａと、第２面１０１ｂ側に発光可能な第２ＥＬ素子３ｂとを有する両面発光型のラインヘッド１と、前記ラインヘッド１の第１面１０１ａから発光された光により露光され得る第１感光体と、前記ラインヘッド１の第２面１０１ｂから発光された光により露光され得る第２感光体と、を備えることを特徴とする。【選択図】    図５
2006264117.tif 000002
【特許請求の範囲】
【請求項１】
基板上に複数のＥＬ素子が整列配置されてなり、第１面側に発光可能な第１ＥＬ素子と、第２面側に発光可能な第２ＥＬ素子とを有する両面発光型のラインヘッドと、
前記ラインヘッドの第１面から発光された光により露光され得る第１感光体と、
前記ラインヘッドの第２面から発光された光により露光され得る第２感光体と、を備えることを特徴とする露光装置。
【請求項２】
前記第１ＥＬ素子は、前記基板の第１主面に整列配置されてなる一方、前記第２ＥＬ素子は、前記第１主面の裏面である第２主面に整列配置されてなることを特徴とする請求項１に記載の露光装置。
【請求項３】
前記基板は、第１基板と第２基板とが貼り合わされた構成を有してなり、
前記第１ＥＬ素子が前記第１基板上に整列配置されてなる一方、前記第２ＥＬ素子が前記第２基板上に整列配置されてなることを特徴とする請求項１に記載の露光装置。
【請求項４】
前記ラインヘッドと前記第１感光体との間に配設され、前記ラインヘッドから発光された光を前記第１感光体に結像させる第１光学結像系と、
前記ラインヘッドと前記第２感光体との間に配設され、前記ラインヘッドから発光された光を前記第２感光体に結像させる第２光学結像系と、を備えることを特徴とする請求項１ないし３のいずれか１項に記載の露光装置。
【発明の詳細な説明】
【技術分野】
【０００１】
本発明は、露光装置に関し、特に画像形成装置等における露光手段として好適に用いることが可能な露光装置に関する。
【背景技術】
【０００２】
電子写真方式を利用したプリンタとして、ラインプリンタ（画像形成装置）が知られている。このラインプリンタは、被露光部となる感光体ドラムの周面上に、帯電器、ライン状のプリンタヘッド（ラインヘッド）、現像器、転写器などの装置を近接配置したものである。すなわち、帯電器によって帯電された感光体ドラムの周面上に、プリンタヘッドに設けられた発光素子の選択的な発光動作で露光を行なうことにより、静電潜像を形成し、この潜像を現像器から供給されるトナーで現像して、そのトナー像を転写器で用紙に転写するようにしたものである。
【０００３】
ところで、前記のようなプリンタヘッドの発光素子としては、一般に発光ダイオードなどが用いられている。しかし、これは数千個の発光点を精度良く配列することが極めて困難であるという課題がある。そこで、近年では、発光点を精度良く作り込める有機エレクトロルミネセンス素子（有機ＥＬ素子）を発光素子とする発光素子アレイを、プリンタヘッドとして備えた画像形成装置が提案されている（例えば、特許文献１参照）。
【特許文献１】特開平８−１０８５６８号公報
【発明の開示】
【発明が解決しようとする課題】
【０００４】
特許文献１によれば、有機ＥＬ素子をライン状に複数並べたものを光源として、該光源からの光を感光体ドラムへ投射する方法を採用しており、これらの発光素子から出力された光をレンズ系を介さず（完全密着型）、又はセルフォックレンズアレイ（日本板硝子社の商品名；「セルフォック」は登録商標）を介して（密着型）感光ドラム上に投射できる小型で安価なライン発光デバイスを提供している。
【０００５】
このような発光デバイスを用いたプリンタ（画像形成装置）において、印刷スピードを増加させる場合には、光源の光量を増大させる必要がある。しかしながら、光源の光量が増えると、劣化の度合いが大きくなり、プリンタヘッドの寿命が短くなるという問題が生じる。
【０００６】
本発明は前記事情に鑑みてなされたもので、その目的とするところは、露光効率を向上させた場合にも劣化が生じ難く、また省スペース化も実現することができる露光装置を提供することにある。
【課題を解決するための手段】
【０００７】
上記課題を解決するために、本発明の露光装置は、基板上に複数のＥＬ素子が整列配置されてなり、第１面側に発光可能な第１ＥＬ素子と、第２面側に発光可能な第２ＥＬ素子とを有する両面発光型のラインヘッドと、前記ラインヘッドの第１面から発光された光により露光され得る第１感光体と、前記ラインヘッドの第２面から発光された光により露光され得る第２感光体と、を備えることを特徴とする。
【０００８】
このような露光装置によると、１つの両面発光型ラインヘッドで、２系統の感光体に対して露光を施すことができるため、従来の片面発光のラインヘッドを備えた露光装置に比して、露光効率を向上させることができるようになる。しかも、第１感光体を露光するためのＥＬ素子と、第２感光体を露光するためのＥＬ素子とを別途有してなるため、ＥＬ素子の光量を増大させることなく露光効率を向上できようになる。したがって、露光効率の向上に伴って素子の劣化もなく、当該露光装置の寿命が低下することもない。
【０００９】
本発明の露光装置において、前記第１ＥＬ素子は、前記基板の第１主面に整列配置されてなる一方、前記第２ＥＬ素子は、前記第１主面の裏面である第２主面に整列配置されてなるものとすることができる。
【００１０】
この場合、１枚の基板で２系統の感光体に対して露光を施すことができるため、露光効率の向上とともに、当該露光装置の省スペース化も実現することが可能となる。
【００１１】
また、本発明の露光装置において、前記基板は、第１基板と第２基板とが貼り合わされた構成を有してなり、前記第１ＥＬ素子が前記第１基板上に整列配置されてなる一方、前記第２ＥＬ素子が前記第２基板上に整列配置されてなるものとすることができる。
【００１２】
この場合、当該露光装置を製造する場合に、第１基板上に第１ＥＬ素子を整列配置させたものと、第２基板上に第２ＥＬ素子を整列配置させたものとをそれぞれ作製した後、これらを第１基板と第２基板とを対向させた状態で貼り合わせることで簡便に製造することができるようになる。
【００１３】
なお、本発明の露光装置においては、ラインヘッドと各感光体との間に光学結像系を配設することができる。つまり、ラインヘッドから発光された光を第１感光体に結像させる第１光学結像系を当該ラインヘッドと第１感光体との間に、ラインヘッドから発光された光を第２感光体に結像させる第２光学結像系を当該ラインヘッドと第２感光体との間に配設することができる。このような光学結像系の設置により、ラインヘッドからの放射光が感光体において結像され、良好な露光を実現することが可能となる。
【発明を実施するための最良の形態】
【００１４】
以下、本発明の実施形態について、図面を参照しつつ説明する。なお、以下で参照する各図面においては、図面を見易くするために、各構成要素の寸法等を適宜変更して表示している。
【００１５】
図１は、本発明の露光装置の一実施形態を示す図であり、図１中符号１００は露光装置である。この露光装置１００は、例えば画像形成装置において露光手段として用いられるもので、板状体をなし、自身の表裏両面からの発光が可能な両面発光型のラインヘッド１と、このラインヘッド１から各方向に発光された光を結像させる第１レンズアレイ（第１光学結像系）３１ａ及び第２レンズアレイ（第２光学結像系）３１ｂと、この第１レンズアレイ３１ａ及び第２レンズアレイ３１ｂを透過したラインヘッド１からの光によって露光を受ける第１感光体ドラム（第１感光体）９ａ及び第２感光体ドラム（第２感光体）９ｂとを備えて構成されたものである。なお、本実施の形態において、第１レンズアレイ３１ａと第２レンズアレイ３１ｂを総称してレンズアレイ３１と、第１感光体ドラム９ａ及び第２感光体ドラム９ｂを総称して感光体ドラム９と言う場合がある。
【００１６】
（ラインヘッドモジュール）
前記ラインヘッド１とレンズアレイ３１とは、互いにアライメントされた状態でヘッドケース５２に一体的に保持され、これによってラインヘッドモジュール１０１となっている。図２は、このラインヘッドモジュール１０１の斜視断面図である。なお、図２ではラインヘッドモジュール１０１を一部切り欠いて示しており、レンズアレイ３１の一方（第１レンズアレイ）３１ａのみが示されている。
【００１７】
図２に示すようにラインヘッドモジュール１０１は、複数の有機ＥＬ素子３（図３参照）を整列配置したラインヘッド１と、ラインヘッド１からの光を結像させるレンズ素子３１（図４参照）を整列配置したレンズアレイ３１と、ラインヘッド１およびレンズアレイ３１の外周部を保持するヘッドケース５２と、を備えて構成されたものである。ここで、本実施形態においては、レンズアレイ３１として、特に正立等倍結像系であるセルフォックレンズアレイ（日本板硝子社の商品名；「セルフォック」は登録商標、以下、ＳＬアレイとも言う）が用いられている。このような構成のもとにラインヘッドモジュール１０１は、ラインヘッド１で発光した光を、感光体ドラム９に正立等倍結像させるようになっている。
【００１８】
（ラインヘッド）
図３は、ラインヘッド１の片面側の構成を概念的に示した模式図である。このラインヘッド１は、長細い矩形の素子基板２上に、複数の有機ＥＬ（エレクトロルミネセンス）素子３を配列してなる発光素子列（発光部ライン）３Ａと、有機ＥＬ素子３を駆動させる駆動素子４からなる駆動素子群と、これら駆動素子４（駆動素子群）の駆動を制御する制御回路群５とを一体形成したものである。なお、図３では発光素子列３Ａを１列の有機ＥＬ素子３で形成したが、例えば有機ＥＬ素子３を２列にしてこれらを千鳥状に配してもよい。その場合には、ラインヘッド１の長手方向における有機ＥＬ素子３のピッチを小さくすることができ、したがって解像度を向上させることができる。なお、図３はラインヘッド１の片面を示しているが、他面側にも同様の有機ＥＬ素子３が配設されている（図５参照）。
【００１９】
有機ＥＬ素子３は、一対の電極間に少なくとも有機発光層を備えたもので、その一対の電極から発光層に電流を供給することにより、発光するようになっている。有機ＥＬ素子３における一方の電極には電源線８が接続され、他方の電極には駆動素子４を介して電源線７が接続されている。この駆動素子４は、薄膜トランジスタ（ＴＦＴ）や薄膜ダイオード（ＴＦＤ）等のスイッチング素子で構成されている。駆動素子４にＴＦＴを採用した場合には、そのソース領域に電源線７が接続され、ゲート電極に制御回路群５が接続される。そして、制御回路群５により駆動素子４の動作が制御され、駆動素子４により有機ＥＬ素子３への通電が制御されるようになっている。
なお、有機ＥＬ素子３および駆動素子４の詳細な構造については後述する。また、このラインヘッド１では、ＥＬ素子として有機ＥＬ素子３を用いているが、これに代えて無機ＥＬ素子を用いることもできる。
【００２０】
（ＳＬアレイ）
図４は、レンズアレイ３１としてのＳＬアレイの斜視図である。このレンズアレイ（ＳＬアレイ）３１は、セルフォックレンズ（ＳＬ素子）３１ｃを千鳥状に２列配列（配置）したものである。そして、千鳥状に配置された各ＳＬ素子３１ｃの隙間には黒色のシリコーン樹脂３２が充填されており、さらにその周囲にはフレーム３４が配置されている。
【００２１】
前記ＳＬ素子３１ｃは、その中心から周辺にかけて放物線上の屈折率分布を有している。そのため、ＳＬ素子３１ｃに入射した光は、その内部を一定周期で蛇行しながら進む。
よって、このＳＬ素子３１ｃの長さを調整すれば、画像を正立等倍結像させることができる。そして、このように正立等倍結像するＳＬ素子３１ｃにあっては、隣接するＳＬ素子３１ｃどうしが作る像を重ね合わせることが可能になり、広範囲の画像を得ることができる。したがって、図４に示したＳＬアレイ３１は、ラインヘッド１全体からの光を精度よく結像させることができるようになっている。
【００２２】
（ヘッドケース）
図２に戻り、ラインヘッドモジュール１０１は、ラインヘッド１およびレンズアレイ３１の外周部を支持するヘッドケース５２を備えている。このヘッドケース５２は、Ａｌ等の剛性材料によってスリット状に形成されている。ヘッドケース５２の長手方向に垂直な断面は、上下両端部が開口した形状となっており、その上半部の側壁５２ａ，５２ａは相互に平行に配置され、下半部の側壁５２ｂ，５２ｂはそれぞれ下端中央部に向かって傾斜配置されている。なお、図示しないが、ヘッドケース５２の長手方向における両端部の側壁も、相互に平行に配置されている。
【００２３】
そして、ヘッドケース５２の上半部側壁５２ａの内側には、上述したラインヘッド１が配置されている。
図５は、ラインヘッド１のヘッドケース５２への結合部分（図２のＡ部）を拡大して示す断面図である。図５に示すように、ヘッドケース５２の側壁５２ａの内面には、全周にわたって階段状の台座５３が形成されている。その台座５３の上面にラインヘッド１の下面を当接させて、ラインヘッド１が水平に配置されている。
【００２４】
ここで、本実施形態で用いたラインヘッド１は、素子基板２を共通にしたトップエミッション方式の有機ＥＬ装置１ａ，１ｂを具備しており、これにより両面発光型の光源部を構成している。つまり、素子基板２の両面に有機ＥＬ素子３（３ａ，３ｂ）を備えて両面発光が可能とされ、具体的には、素子基板２の第１主面（第１面）１０２ａ側に第１有機ＥＬ素子３ａを、第２主面（第２面）１０２ｂ側に第２有機ＥＬ素子３ｂを備えてなる。素子基板２の各面に対向して封止基板３０ａ，３０ｂが配設され、素子基板２と封止基板３０ａ及び素子基板２と封止基板３０ｂはそれぞれ封止材３３，３３を介して各有機ＥＬ素子３ａ，３ｂを封止している。このような構成の採用により、ラインヘッド１は、封止基板３０ａが形成された面（第１面）１０１ａ側からと、封止基板３０ｂが形成された面（第２面）１０１ｂ側からの双方から光を射出可能となっている。
【００２５】
また、ヘッドケース５２の側壁５２ａとラインヘッド１とによって形成される角部には、全周にわたって封止材５４ａ、５４ｂが配設されている。なお、ヘッドケース５２の側壁５２ａの内面とラインヘッド１の側面との隙間にも、封止材が配設されている。これにより、ヘッドケース５２に対してラインヘッド１が気密接合されている。そのうち、ラインヘッド１の上側に配設された封止材５４ｂは、アクリル等の紫外線硬化性樹脂で構成されている。また、ラインヘッド１の下側に配設された封止材５４ａは、エポキシ等の熱硬化性樹脂で構成されている。
【００２６】
なお、これらの封止材５４ａ、５４ｂには、ゲッター剤が含有されていてもよい。ゲッター剤とは、乾燥剤や脱酸素剤を意味しており、水分や酸素を吸着するものである。この構成によれば、封止材５４ａ、５４ｂによって水分や酸素の透過を確実に遮断することができる。したがって、ラインヘッドに形成された有機ＥＬ素子の吸湿や酸化を抑制することが可能になり、有機ＥＬ素子の耐久性の低下および寿命の短命化を阻止することができる。
【００２７】
図２に戻り、ヘッドケース５２の端部に形成されたスリット状の開口部には、レンズアレイ３１ａ（レンズアレイ３１ｂ）が配置されている。そして、ヘッドケース５２の側壁５２ｂとレンズアレイ３１ａ（レンズアレイ３１ｂ）とによって形成される角部には、全周にわたって封止材５５ａ，５５ｂが配設されている。なお、ヘッドケース５２の側壁５２ａの内面とラインヘッド１の側面との隙間にも、封止材が配設されている。これにより、ヘッドケース５２に対してレンズアレイ３１ａ（レンズアレイ３１ｂ）が気密接合されている。そのうち、レンズアレイ３１ａ（レンズアレイ３１ｂ）の上側に配設された封止材５５ａは、エポキシ等の熱硬化性樹脂で構成されている。また、レンズアレイ３１ａ（レンズアレイ３１ｂ）の下側に配設された封止材５５ｂは、アクリル等の紫外線硬化性樹脂で構成されている。さらに、これらの封止材５５ａ，５５ｂには、ゲッター剤が含有されていてもよい。
【００２８】
そして、ヘッドケース５２の内側におけるラインヘッド１とレンズアレイ３１ａ（レンズアレイ３１ｂ）との間には、チャンバ５６が形成されている。前述したように、ヘッドケース５２に対してラインヘッド１およびレンズアレイ３１ａ（レンズアレイ３１ｂ）が気密接合されているので、チャンバ５６は密閉封止されている。そして、チャンバ５６の内部は、窒素ガス等の不活性ガスによって満たされるか、または真空に保持されている。
【００２９】
（有機ＥＬ素子および駆動素子）
次に、ラインヘッドにおける有機ＥＬ素子や駆動素子等の詳細な構成について、図６（ａ），（ｂ）を参照して説明する。図６（ａ），（ｂ）では、素子基板２の第１主面１０２ａ側に形成された有機ＥＬ素子３ａを示しているが、素子基板１０２ｂ側にも同様の構成の有機ＥＬ素子３ｂが形成されている。
【００３０】
本実施形態で用いたラインヘッド１は、有機ＥＬ素子３ａで発光した光を封止基板３０ａ（図５参照）側から射出する、いわゆるトップエミッション型の発光装置である。したがって、素子基板２としては透光性、半透光性、若しくは非透光性のいずれをも採用することができるが、封止基板３０としては透光性のものを採用しなければならない。具体的には、素子基板２としては、ガラス、石英、金属、樹脂等が挙げられ、封止基板３０としては、ガラス、石英、透光性樹脂等が挙げられる。
【００３１】
素子基板２上には、画素電極２３に接続する駆動用ＴＦＴ１２３（駆動素子４）などを含む回路部１１が形成されており、その上に有機ＥＬ素子３ａが設けられている。有機ＥＬ素子３ａは、陽極として機能する画素電極２３と、この画素電極２３からの正孔を注入／輸送する正孔輸送層７０と、有機ＥＬ物質からなる発光層６０と、陰極５０とが順に積層して構成されている。
【００３２】
ここで、有機ＥＬ素子３ａおよび駆動用ＴＦＴ１２３（駆動素子４）を図３に対応した模式図で示すと、図６（ｂ）に示すようになる。図６（ｂ）において、電源線７は駆動素子４のソース／ドレイン電極に接続し、電源線８は有機ＥＬ素子３ａの陰極５０に接続している。そして、このような構成のもとに有機ＥＬ素子３ａは、図６（ａ）に示すように、正孔輸送層７０から注入された正孔と陰極５０からの電子とが発光層６０で結合することにより、発光をなすようになっている。
【００３３】
陽極として機能する画素電極２３は、トップエミッション型である本実施形態では、光反射性導電材料によって形成され、具体的にはアルミニウムが好適に用いられている。
【００３４】
正孔輸送層７０の形成材料としては、特に３，４−ポリエチレンジオシチオフェン／ポリスチレンスルフォン酸（ＰＥＤＯＴ／ＰＳＳ）が好適に用いられるが、例えば、ポリスチレン、ポリピロール、ポリアニリン、ポリアセチレンやその誘導体などを用いることも可能である。
【００３５】
発光層６０の形成材料としては、蛍光あるいは燐光を発光することが可能な公知の発光材料が用いられる。具体的には、（ポリ）フルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリメチルフェニルシラン（ＰＭＰＳ）などのポリシラン系などが好適に用いられる。また、これらの高分子材料に、ペリレン系色素、クマリン系色素、ローダミン系色素などの高分子系材料や、ルブレン、ペリレン、９，１０−ジフェニルアントラセン、テトラフェニルブタジエン、ナイルレッド、クマリン６、キナクリドン等の低分子材料をドープして用いることもできる。
【００３６】
陰極５０は、発光層６０を覆って形成されたもので、例えばカルシウム層を厚さ２０ｎｍ程度に形成し、その上にＩＴＯ層（インジウム錫酸化物層）を厚さ２００ｎｍ程度に形成して積層構造の電極としたものである。また、この陰極５０上には接着層５１を介して封止基板３０ａ（図５参照）が貼着されている。
【００３７】
また、有機ＥＬ素子３ａの下方には、前述したように回路部１１が設けられている。この回路部１１は素子基板２上に形成されたものである。すなわち、素子基板２の表面にはＳｉＯ２を主体とする下地保護層２８１が下地として形成され、その上にはシリコン層２４１が形成されている。このシリコン層２４１の表面には、ＳｉＯ２及び／又はＳｉＮを主体とするゲート絶縁層２８２が形成されている。
【００３８】
また、前記シリコン層２４１のうち、ゲート絶縁層２８２を挟んでゲート電極２４２と重なる領域がチャネル領域２４１ａとされている。なお、このゲート電極２４２は、図示しない走査線の一部である。一方、シリコン層２４１を覆い、ゲート電極２４２を形成したゲート絶縁層２８２の表面には、ＳｉＯ２を主体とする第１層間絶縁層２８３が形成されている。
【００３９】
また、シリコン層２４１のうち、チャネル領域２４１ａのソース側には、低濃度ソース領域２４１ｂおよび高濃度ソース領域２４１Ｓが設けられる一方、チャネル領域２４１ａのドレイン側には低濃度ドレイン領域２４１ｃおよび高濃度ドレイン領域２４１Ｄが設けられて、いわゆるＬＤＤ（Light Doped Drain ）構造となっている。これらのうち、高濃度ソース領域２４１Ｓは、ゲート絶縁層２８２と第１層間絶縁層２８３とにわたって開孔するコンタクトホール２４３ａを介して、ソース電極２４３に接続されている。このソース電極２４３は、電源線（図示せず）の一部として構成されている。一方、高濃度ドレイン領域２４１Ｄは、ゲート絶縁層２８２と第１層間絶縁層２８３とにわたって開孔するコンタクトホール２４４ａを介して、ソース電極２４３と同一層からなるドレイン電極２４４に接続されている。
【００４０】
ソース電極２４３およびドレイン電極２４４が形成された第１層間絶縁層２８３の上層には、例えばアクリル系の樹脂成分を主体とする平坦化膜２８４が形成されている。この平坦化膜２８４は、アクリル系やポリイミド系等の、耐熱性絶縁性樹脂などによって形成されたもので、駆動用ＴＦＴ１２３（駆動素子４）やソース電極２４３、ドレイン電極２４４などによる表面の凹凸をなくすために形成された公知のものである。
【００４１】
そして、アルミニウム等からなる画素電極２３が、この平坦化膜２８４の表面上に画素毎にパターン形成されるとともに、該平坦化膜２８４に設けられたコンタクトホール２３ａを介してドレイン電極２４４に接続されている。すなわち、画素電極２３は、ドレイン電極２４４を介して、シリコン層２４１の高濃度ドレイン領域２４１Ｄに接続されている。
【００４２】
画素電極２３が形成された平坦化膜２８４の表面には、画素電極２３と、前述した無機隔壁２５とが形成されており、さらに無機隔壁２５上には、有機隔壁２２１が形成されている。そして、画素電極２３上には、無機隔壁２５に形成された前記開口２５ａと、有機隔壁２２１に形成された開口２２１ａとの内部、すなわち画素領域に、前記の正孔輸送層７０と発光層６０とが画素電極２３側からこの順で積層され、これによって機能層が形成されている。
なお、この例では、ＥＬ素子を駆動する素子として、素子基板２上にＴＦＴなどの駆動素子４を作り込んだ例を挙げたが、駆動素子４を素子基板２上に作り込まず、駆動素子４を外付けにする、具体的にはＥＬ素子基板の端子領域にドライバＩＣをＣＯＧ実装する、またはドライバＩＣを実装したフレキシブル回路基板をＥＬ素子基板に実装するようにしても良い。
【００４３】
このような構成からなるラインヘッドモジュール１０１は、図１に示したように被露光部となる感光体ドラム９ａ，９ｂに光を照射し結像して、露光するようになっている。このとき、ラインヘッド１とレンズアレイ３１ａ，３１ｂとは互いにアライメントされた状態でヘッドケース５２に一体的に保持されているので、使用に際しては、単にラインヘッドモジュール１０１を感光体ドラム９ａ，９ｂにアライメントするだけでよい。
したがって、このラインヘッドモジュール１０１を備えた露光装置１００にあっては、ラインヘッド１とレンズアレイ３１ａ，３１ｂとを別に用意する場合に比べ、感光体ドラム９ａ，９ｂに対するアライメントが容易になり、アライメント不良に起因する露光むらが確実に防止されるようになる。
【００４４】
次に、ラインヘッド１の変形例について説明する。つまり、本実施の形態の露光装置１００に適用可能な両面発光型のラインヘッド１の変形例を図７〜図９を参照しつつ説明する。
【００４５】
図７に示すラインヘッド１０ａは、ボトムエミッション型の有機ＥＬ装置１ａ，１ｂが封止材３３を貼り合わされてなるものである。具体的には、それぞれの有機ＥＬ素子３ａ，３ｂが対向した状態で貼り合わされてなり、該有機ＥＬ素子３ａ，３ｂで発光した光が各有機ＥＬ装置１ａ，１ｂの素子基板２ａ，２ｂの裏面（有機ＥＬ素子３ａ，３ｂが形成されていない側の面）から射出されるものとなっている。ここで、素子基板２ａ，２ｂはガラス等の透光性基板から構成されている。
【００４６】
なお、ラインヘッド１０ａにおいて、有機ＥＬ素子３ａ，３ｂの構成は図６（ａ）に示したものと略同様であるが、画素電極２３をＩＴＯ（インジウム錫酸化物）等の透光性導電材料にて構成するとともに、陰極５０をアルミニウム等の光反射性導電材料にて構成するものとしている。これによりボトムエミッション型の有機ＥＬ装置が実現されるものとなっている。
【００４７】
一方、図８に示すラインヘッド１０ｂは、トップエミッション型の有機ＥＬ装置１ａ，１ｂが接着材３３を貼り合わされてなるものである。具体的には、それぞれの有機ＥＬ素子３ａ，３ｂが反対側を向いた状態で貼り合わされてなり、該有機ＥＬ素子３ａ，３ｂで発光した光が各有機ＥＬ装置１ａ，１ｂの素子基板２ａ，２ｂの表面（有機ＥＬ素子３ａ，３ｂが形成されている側の面）から射出されるものとなっている。
【００４８】
また、図９に示すラインヘッド１０ｃは、ボトムエミッション型の有機ＥＬ装置１ａ，１ｂが封止基板３０を共通にして構成されてなるものである。具体的には、ボトムエミッション型の有機ＥＬ装置１ａ，１ｂについて、それぞれ同一の封止基板３０を用いて封止したものである。図９の例では、各有機ＥＬ装置１ａ，１ｂを構成する素子基板２ａ，２ｂが、一の封止基板３０との間でそれぞれ有機ＥＬ素子３ａ，３ｂを封止しつつ貼り合わされている。素子基板２ａ，２ｂはガラス等の透光性基板から構成されている。
【００４９】
なお、ラインヘッド１ｃにおいて、有機ＥＬ素子３ａ，３ｂの構成は図６（ａ）に示したものと略同様であるが、画素電極２３をＩＴＯ（インジウム錫酸化物）等の透光性導電材料にて構成するとともに、陰極５０をアルミニウム等の光反射性導電材料にて構成するものとしている。これによりボトムエミッション型の有機ＥＬ装置が実現されるものとなっている。
【００５０】
以上、ラインヘッドの幾つかの例を示したが、いずれのラインヘッドを本実施形態の露光装置に採用した場合にも、１つの両面発光型ラインヘッド（１，１０ａ、１０ｂ、１０ｃ）で、２系統の感光体ドラム９ａ，９ｂに対して露光を施すことができるため、従来の片面発光のラインヘッドを備えた露光装置に比して、露光効率を向上させることができるようになる。しかも、第１の感光体ドラム９ａを露光するための有機ＥＬ素子３ａと、第２の感光体ドラム９ｂを露光するための有機ＥＬ素子３ｂとを別途有してなるため、当該ＥＬ素子の光量を増大させることなく露光効率を向上できようになる。したがって、露光効率の向上に伴って素子の劣化もなく、当該露光装置の寿命が低下することもない。
【００５１】
なお、本実施形態の露光装置をラインプリンタ（画像形成装置）の露光手段として用いる場合には、印刷用の紙が２つの感光体ドラム９ａ，９ｂへ分かれて給紙される構造を採用して、各発光ラインを独立に駆動するものとすれば、それぞれの感光体ドラム９ａ，９ｂへ供給された紙を同時に異なる印刷パターンで印字することができる。また、同じ印刷パターンを複数枚印刷する場合には、２つの感光体ドラム９ａ，９ｂへ同じ印刷パターンを転写すれば、同じ印刷パターンを同時に２枚印刷することができ、印刷スピードを向上させることができる。
【図面の簡単な説明】
【００５２】
【図１】本発明の露光装置の一実施形態の概略構成を示す模式図である。
【図２】実施形態に係るラインヘッドモジュールの斜視断面図である。
【図３】ラインヘッドを模式的に示した図である。
【図４】ＳＬアレイの斜視図である。
【図５】ラインヘッドの結合部分における拡大図である。
【図６】（ａ）はラインヘッドの要部側断面図、（ｂ）は配線状態を模式的に示した図である。
【図７】ラインヘッドの一変形例を示す要部側断面図である。
【図８】ラインヘッドの一変形例を示す要部側断面図である。
【図９】ラインヘッドの一変形例を示す要部側断面図である。
【符号の説明】
【００５３】
１…ラインヘッド、２（２ａ，２ｂ）…素子基板（基板）、３（３ａ，３ｂ）…有機ＥＬ素子（ＥＬ素子）、９（９ａ，９ｂ）…感光体ドラム（感光体）、３０（３０ａ，３０ｂ）…封止基板、３１（３１ａ，３１ｂ）…レンズアレイ（光学結像系）、１００…露光装置、１０１…ラインヘッドモジュール、１０１ａ…第１面、１０１ｂ…第２面
【図１】
2006264117.tif 000003
【図２】
2006264117.tif 000004
【図３】
2006264117.tif 000005
【図４】
2006264117.tif 000006
【図５】
2006264117.tif 000007
【図６】
2006264117.tif 000008
【図７】
2006264117.tif 000009
【図８】
2006264117.tif 000010
【図９】
2006264117.tif 000011